(57)【要約】      （修正有）【課題】土質資料からの水分をコア箱外に容易に流出させるコア箱用ブロック型スペーサーを提供する。【解決手段】長尺状の土質資料を収納する、横断面視で四角形状の長尺状の収納溝を隣接させて並設させ、平面視で前記収納溝の長軸方向の一端側から３０ｍｍ以内の範囲の底壁に水抜き穴を設けたコア箱２に嵌設されるブロック型スペーサー１であって、前記収納溝の短軸方向の側壁面６、底壁面、及び、長軸方向の水抜き穴側である一端側の壁面に当接する部位を備え、嵌設すると前記収納溝の短軸方向と一致する左右方向の全幅は前記収納溝の短軸方向の幅とほぼ同じで、嵌設すると前記収納溝の長軸方向と一致する前後方向の全長は３０ｍｍで、嵌設すると前記収納溝の深さ方向と一致する上下方向の全長は前記収納溝の深さとほぼ同じで、下部に長軸方向にかつ下方に開口して前記水抜き穴に連通可能な貫通溝を形成することを特徴とする。【選択図】図２
0003207791.tif 000002
【実用新案登録請求の範囲】
【請求項１】
長尺状の土質資料を収納する、横断面視で四角形状の長尺状の収納溝を隣接させて並設させ、平面視で前記収納溝の長軸方向の一端側から３０ｍｍ以内の範囲の底壁に水抜き穴を設けたコア箱に嵌設されるブロック型スペーサーであって、
前記収納溝の短軸方向の側壁面、底壁面、及び、長軸方向の水抜き穴側である一端側の壁面に当接する部位を備え、
嵌設すると前記収納溝の短軸方向と一致する左右方向の全幅は前記収納溝の短軸方向の幅とほぼ同じで、
嵌設すると前記収納溝の長軸方向と一致する前後方向の全長はほぼ３０ｍｍで、
嵌設すると前記収納溝の深さ方向と一致する上下方向の全長は前記収納溝の深さとほぼ同じで、
下部に長軸方向にかつ下方に開口して前記水抜き穴に連通可能な貫通溝を形成することを特徴とするコア箱用ブロック型スペーサー。
【考案の詳細な説明】
【技術分野】
【０００１】
本考案は、地質調査において用いられ、ボーリングにより採取した土質資料を収容し保管する国土交通省仕様のコア箱の右端に３０ｍｍ余る場合に、その空スペースに嵌入するブロック型スペーサーに関する。
【背景技術】
【０００２】
コア箱の技術については、特許文献１には、特許文献１の段落［０００３］及び図１に、「コア箱は、コア箱本体、蓋、ヒンジ、収納溝を備えており、全て木製である。大きさは例として、収容可能な土壌資料の長さが１メートル、幅と深さが約５０ミリメートルの、５列の収納溝が平行に設けられ、箱全体を覆う蓋を具える。なお収納溝の幅と深さは、ボーリング試料のサイズに合わせて７０〜８０ミリメートルのものも用いられる。」との記載がある。しかし、コア箱の右端に３０ｍｍ余る場合のブロック型スペーサーについての記載は見当たらない。
【０００３】
また、特許文献２には、特許文献２の図２に、コア箱本体、蓋、ヒンジ、収納溝を備えており、前記収容溝の形体が縦長の溝が形成されている形体が示されている。しかし、コア箱の右端に３０ｍｍ余る場合のブロック型スペーサーについての記載は見当たらない。
【先行技術文献】
【特許文献】
【０００４】
【特許文献１】実用新案登録第３１４４６３５号公報
【特許文献２】実用新案登録第３０６７６２２号公報
【考案の概要】
【考案が解決しようとする課題】
【０００５】
特許文献１又は２の考案に記載されたコア箱は、一般的に木製であり、４〜５列の水平断面が長方形の縦長の溝を収納溝としており、この収納溝に水分を含有した土質資料を収容するが、コア箱の右端に３０ｍｍ余る場合のブロック型スペーサーについての記載は見当たらないため、保管時に土質資料から出た水分がコア箱内の底壁面上に滞留しやすくなって、土質資料が変質したり、コア箱が朽ちるという問題があった。
【０００６】
本考案はこうした問題に鑑み創案されたもので、コア箱内に水分を含有した土質資料を収容し保管しても土質資料からの水分を容易にコア箱外に流出させるコア箱用ブロック型スペーサーを提供することを課題とする。
【課題を解決するための手段】
【０００７】
請求項１に記載のコア箱用ブロック型スペーサー１は、長尺状の土質資料を収納する、横断面視で四角形状の長尺状の収納溝３を隣接させて並設させ、平面視で前記収納溝３の長軸方向の一端側から３０ｍｍ以内の範囲の底壁に水抜き穴４を設けたコア箱２に嵌設されるブロック型スペーサー１であって、前記収納溝３の短軸方向の側壁面６、底壁面７、及び、長軸方向の水抜き穴側である一端側壁面８に当接する部位を備え、嵌設すると前記収納溝３の短軸方向と一致する左右方向の全幅は前記収納溝３の短軸方向の幅とほぼ同じで、嵌設すると前記収納溝３の長軸方向と一致する前後方向の全長はほぼ３０ｍｍで、嵌設すると前記収納溝３の深さ方向と一致する上下方向の全長は前記収納溝３の深さとほぼ同じで、下部に長軸方向にかつ下方に開口して前記水抜き穴４に連通可能な貫通溝５を形成することを特徴とする。
【考案の効果】
【０００８】
請求項１に記載のコア箱用ブロック型スペーサー１は、掘削で採取した水分を含有した土質資料を収納溝３に収納しても、又は、さらに収納溝３に収納した土質資料に洗浄のために水をかけても、土質資料からの水分や収納溝３に溜まった水分が流れる貫通溝５を設けたことにより収納溝３内を乾燥しやすくするので、土質資料の変質防止や木製のコア箱の腐食防止ができるという効果を奏する。
【図面の簡単な説明】
【０００９】
【図１】ブロック型スペーサーを嵌設する前の状態のコア箱の概要図で、（ａ）は平面図であり、（ｂ）は正面図である。
【図２】本考案のブロック型スペーサーを嵌設したコア箱の概要を示す平面図である。
【図３】図２におけるブロック型スペーサーを嵌設したＡ部の拡大図である。
【図４】図３におけるＢ矢視図である。
【図５】図３におけるＣ−Ｃ断面図である。
【図６】ブロック型スペーサーの第一の形態を示す図で、（ａ）は正面図であり、（ｂ）は右側面図であり、（ｃ）は平面図である。
【図７】ブロック型スペーサーの第二の形態を示す図で、（ａ）は正面図であり、（ｂ）は右側面図であり、（ｃ）は平面図である。
【考案を実施するための形態】
【００１０】
本考案であるコア箱２は、図１から図５に示すように、コア箱用ブロック型スペーサー１は、長尺状の土質資料を収納する、横断面視で四角形状の長尺状の収納溝３を隣接させて並設させ、平面視で前記収納溝３の長軸方向の一端側からほぼ３０ｍｍ以内の範囲の底壁に水抜き穴４を設けたコア箱２に嵌設されるブロック型スペーサー１であって、前記収納溝３の短軸方向の側壁面６、底壁面７、及び、長軸方向の水抜き穴側である一端側壁面８に当接する部位を備え、嵌設すると前記収納溝３の短軸方向と一致する左右方向の全幅は前記収納溝３の短軸方向の幅とほぼ同じで、嵌設すると前記収納溝３の長軸方向と一致する前後方向の全長はほぼ３０ｍｍで、嵌設すると前記収納溝３の深さ方向と一致する上下方向の全長は前記収納溝３の深さとほぼ同じで、下部に長軸方向にかつ下方に開口して前記水抜き穴４に連通可能な貫通溝５を形成する。
【００１１】
前記コア箱２は、木製で製造され、長尺状の土質資料を収納する、横断面視で四角形状の長尺状の収納溝３を隣接させて並設させ、前記収納溝３の長軸方向の一端側の底壁に縦方向の直径６〜１０ｍｍの水抜き穴４を設けている。図１又は図２で示すように、国土交通省仕様では前記収納溝３の長さＤが１０３０ｍｍと規定されており、土質資料を収納する部分の長さＤ１が１０００ｍｍなので長さＤ２の３０ｍｍのスペースが前記収納溝３の長軸方向の一端側にでき、該スペースの底壁に直径が約６〜１０ｍｍの縦方向の水抜き穴４が設けられている。また、前記収納溝３の数は５列が一般的ではあるが列数は任意に設定可能である。そして、前記コア箱２には、ヒンジを介して蓋体が備えられている。
【００１２】
次に、本考案のブロック型スペーサー１について説明する。ブロック型スペーサー１は前記３０ｍｍのスペースに嵌設する。前記ブロック型スペーサー１の材質は例えば木製、樹脂製又は発泡スチロール製であるが、形体が崩れない材質であればいずれでもよい。
【００１３】
前記ブロック型スペーサー１の形態について説明する。ブロック型スペーサー１の形態を左右前後上下の６面の方向から説明する。
【００１４】
ブロック型スペーサー１の形態の左右方向の形態は、前記収納溝３の短軸方向の側壁面６、底壁面７、及び、長軸方向の水抜き穴側である一端側壁面８に当接する部位を備え、嵌設すると前記収納溝３の短軸方向と一致する左右方向の全幅は前記収納溝３の短軸方向の幅とほぼ同じで、嵌設すると前記収納溝３の長軸方向と一致する前後方向の全長はほぼ３０ｍｍで、嵌設すると前記収納溝３の深さ方向と一致する上下方向の全長は前記収納溝３の深さとほぼ同じで、下部に長軸方向にかつ下方に開口して前記水抜き穴４に連通可能な貫通溝５を形成している。
【００１５】
図６や図７で示すように、前記ブロック型スペーサー１の形態の例を説明する。まず、図６に示すブロック型スペーサー１の第一の形態は、木製であり、３枚の板イ、ロ、ハを組みあわせて平面視でコ字状で正面視で略門型の形態である。左右方向については、前記収納溝３の短軸方向の両側壁面６に当接する部位に該当するのが板イの左右端の面ａ、ｂと板ロの面ｃ、板ハの面ｄの外側の縦壁面であり、前後方向については、一方側が前記収納溝３の一端側壁面８に当接する部位に該当するのが板ロの面ｅ、板ハの面ｆであり、他方側の板イの面ｊは土質資料（図なし）と当接する。また、上下方向については、下方が前記収納溝３の底壁面７に当接する部位に該当するのが板ロの面ｇ、板ハの面ｈであり、上方が前記収納溝３の側壁面６の上端と同じ高さとなる部位に該当するのが板イの面ｉ、板ロの上端面（図示なし）、板ハの面ｋであり、前記ブロック型スペーサーの下部に長軸方向に貫通し下方に開口する貫通溝５に該当するのが板イの下部で板ロと板ハに囲まれた貫通溝５である。また、図６（ｂ）又は（ｃ）に示す寸法Ｅが図２に示すコア箱２の寸法Ｄ２と同じ寸法となり、例えば寸法Ｄ２が３０ｍｍの場合は寸法Ｅも３０ｍｍとする。また、板イ、板ロ及び板ハは接着剤や締結手段で組み立てる。
【００１６】
次に、図７に示すブロック型スペーサー１の第二の形態は、樹脂製や発泡スチロール製の一体型であり、平面視で四角形状で正面視で略門型の形態である。左右方向については、前記収納溝３の短軸方向の両側壁面６に当接する部位に該当するのが面ｏと面ｐの縦壁面であり、前後方向については、一方端側が前記収納溝３の一端側壁面８に当接する部位に該当するのが面ｑであり、他方側の面ｒは土質資料（図なし）と当接する。また、上下方向については、下方が前記収納溝３の底壁面７に当接する部位に該当するのが面ｓであり、上方が前記収納溝３の側壁面６の上端と同じ高さとなる部位に該当するのが面ｔであり、前記ブロック型スペーサー１の下部に長軸方向に貫通し下方に開口する貫通溝５に該当するのが図７（ａ）における貫通溝５である。また、図７（ｂ）又は（ｃ）に示す寸法Ｅが図２に示すコア箱２の寸法Ｄ２と同じ寸法となり、例えば寸法Ｄ２が３０ｍｍの場合は寸法Ｅも３０ｍｍとする。
【００１７】
本考案のブロック型スペーサー１の形態は、前記図６に示す第一の形態や図７に示す第二の形態に限定されず、前記収納溝３の短軸方向の側壁面６、底壁面７、及び、長軸方向の水抜き穴側である一端側壁面８に当接する部位を備え、嵌設すると前記収納溝３の短軸方向と一致する左右方向の全幅は前記収納溝３の短軸方向の幅とほぼ同じで、嵌設すると前記収納溝３の長軸方向と一致する前後方向の全長はほぼ３０ｍｍで、嵌設すると前記収納溝３の深さ方向と一致する上下方向の全長は前記収納溝３の深さとほぼ同じで、下部に長軸方向にかつ下方に開口して前記水抜き穴４に連通可能な貫通溝５を形成している形体であれば、いずれの形態であってもよい。
【００１８】
前記第一の形態のブロック型スペーサー１をコア箱２に嵌設する形態は図２から図５に示す形態となる。図３に示すように、平面視では収納溝３の一端に図６（ｃ）に示す形態のブロック型スペーサー１が上から挿入されて嵌設されている。そして、Ａ矢視の図４に示すように、ブロック型スペーサー１の下部には貫通溝５が形成されて、収納溝３内に収納された土質資料の水分や、収納溝３に溜まった水分は、収納溝３の底壁面７上を流れて貫通溝５を通過して、図１、図３又は図５に示す水抜き穴４から外部に流出する。これにより、コア箱の朽ちるのを防止し、土質資料の変質を防止できる。
【符号の説明】
【００１９】
１            ブロック型スペーサー
２            コア箱
３            収納溝
４            水抜き穴
５            貫通溝
６            側壁面
７            底壁面
８            一端側壁面
【図１】
0003207791.tif 000003
【図２】
0003207791.tif 000004
【図３】
0003207791.tif 000005
【図４】
0003207791.tif 000006
【図５】
0003207791.tif 000007
【図６】
0003207791.tif 000008
【図７】
0003207791.tif 000009